(57)【特許請求の範囲】
【請求項１】
リール本体に回転自在に装着されたハンドル軸と前記ハンドル軸に相対回転自在に装着されたドラグ操作部材との相対回転により発音する両軸受リールの発音機構であって、
前記ハンドル軸の軸方向と交差する方向に沿って外周面に開口するように前記ハンドル軸に形成されたガイド部と、
前記ガイド部に進退自在に装着された音出しピンと、
前記開口に面する前記ドラグ操作部材の内周面に周方向に沿って形成された凹凸部と、
前記ガイド部に収納され前記音出しピンを前記凹凸部側に付勢する付勢部材と、
を備えた両軸受リールの発音機構。
【請求項２】
前記ハンドル軸の前記ドラグ操作部材に対向する外周面には雄ネジ部が形成されており、
前記ドラグ操作部材は、前記雄ネジ部に螺合する雌ネジ部を有するナット部を有し、
前記凹凸部は、前記ドラグ操作部材のナット部の内周面に前記雌ネジ部と軸方向に並べて設けられている、請求項１に記載の両軸受リールの発音機構。
【請求項３】
前記音出しピンは、先端が半球状の頭部と、前記頭部より小径の軸部とを有する、請求項１又は２に記載の両軸受リールの発音機構。
【請求項４】
前記付勢部材は、前記軸部の外周側に配置されたコイルばねである、請求項３に記載の両軸受リールの発音機構。
【請求項５】
前記頭部には、係止凹部が形成されており、
前記ハンドル軸には、先端面から前記ガイド部に向けて軸方向に沿って形成された治具挿通孔が形成されている、請求項３又は４に記載の両軸受リールの発音機構。
【請求項６】
前記頭部は、
先端が半球状の先端部と、前記先端部より大径で前記付勢部材が係止可能な係止部とを有し、
前記係止凹部は、前記係止部に形成された環状溝である、請求項５に記載の両軸受リールの発音機構。
【請求項７】
釣り竿に装着され、前記釣り竿の長手方向と交差する軸回りに釣り糸を巻き取る両軸受リールであって、
前記釣り竿に装着されるリール本体と、
前記リール本体に回転自在に支持され一端が外方に突出するハンドル軸と、
先端が前記ハンドル軸の径方向外方に延び径方向長さを変更可能に前記ハンドル軸に着脱自在に固定されたクランクアームと、前記クランクアームの先端に装着された回転支持部と、前記回転支持部に装着されたハンドル把手とを有するハンドル組立体と、
前記リール本体に回転自在に装着されたスプールと、
前記ハンドル組立体の回転を前記スプールに伝達するための回転伝達機構と、
前記回転伝達機構に設けられ、前記スプールの糸繰り出し方向の回転を制動するドラグ機構と、
前記ドラグ機構を操作するために前記ハンドル軸に装着されたドラグ操作部材と、
前記ハンドル軸とドラグ操作部材との間に設けられた、請求項１から６のいずれかに記載の発音機構と、
を備えた両軸受リール。
【発明の詳細な説明】
【０００１】
【発明の属する技術分野】
本発明は、発音機構、特に、リール本体に回転自在に装着されたハンドル軸とハンドル軸に相対回転自在に装着されたドラグ操作部材との相対回転により発音する両軸受リールの発音機構及びそれを装着した両軸受リールに関する。
【０００２】
【従来の技術】
一般に、両軸受リールは、ハンドルと、スプールが回転自在に支持されたリール本体と、リール本体の側方に配置されたスプール回転用のハンドルと、ハンドルのリール本体側に配置されたドラグ調整用のスタードラグとを備えている。ハンドルのクランクアームは、ハンドル軸の先端にナットにより固定されており、クランクアームの外側面にはナットを回り止めするためのリテーナがビス止めされている。スタードラグはハンドル軸に螺合しており、スタードラグを回すことでリール本体の内部に設けられたドラグ板の密着度合いを調整してドラグ力を調整できる。
【０００３】
この種の両軸受リールにおいて、スタードラグを操作したときの操作感や操作性を向上させるために、スタードラグとハンドルアームとの間にスタードラグ操作時に発音する発音機構が設けられているものが従来知られている。
従来の発音機構は、ハンドルに装着されたリテーナに収納された音出しピンと、スタードラグに回転不能に装着された音出し部材と、音出しピンを音出し部材側に付勢するコイルばねとを備えている。音出しピンは、頭部と頭部より小径の軸部とを有しておりハンドル軸に沿って頭部を音出し部材に向けて配置されている。音出しピンは、クランクアームに設けられた貫通孔を貫通して貫通孔とリテーナとにわたって収納されている。音出し部材には音出しピンに対向する位置に周方向に間隔を隔てて多数の音出し穴が形成されている。音出し部材は、スタードラグに軸方向に移動自在に装着されており、付勢部材によりクランクアーム側に付勢されている。コイルばねは、音出しピンの外側に配置されており、一端が音出しピンの頭部に当接している。
【０００４】
この発音機構では、スタードラグを操作してハンドルに対して相対回転させると、スタードラグは、ハンドル軸に螺合しているので軸方向に移動する。しかし、音出し部材はクランクアーム側に付勢されているので、音出し部材とクランクアームとの間隔が一定に維持され、音出し部材側に付勢された音出しピンが音出し穴への衝突を繰り返して発音する。
【０００５】
【発明が解決しようとする課題】
前記従来の構成では、音出しピンをリテーナとクランクアームとにわたって収納しているため、リテーナの厚みが厚くなり、リールの軸方向寸法が大きくなる。また、ハンドル軸方向に移動するスタードラグと別に音出し部材を設けるとともに、音出し部材をクランクアーム側に付勢する付勢部材を設けなければならないので、発音機構の部品点数が増加し構成が複雑になる。また、ハンドル軸の外方に発音機構が配置されるので、スタードラグの径方向寸法が大きくなり、リールの寸法が大きくなる。
【０００６】
また、クランクアームに複数の取付孔を設けハンドル軸からハンドル把手までのハンドル長さを変更可能な両軸受リールがある。このような両軸受リールでは、ハンドル長さを変更する場合、使用者はリテーナ及びナットを外してクランクアームをハンドル軸から外し、別の取付孔でクランクアームを再度ハンドル軸に取り付ける。このようなハンドル長さ変更を行う場合、リテーナを外すと音出しピンがコイルばねに付勢されて飛び出し、発音機構が分解されて部品を紛失するおそれがある。
【０００７】
本発明の課題は、スタードラグを操作すると発音する機構において、リールの小型化を図れかつ構成の簡素化を図れるようにすることにある。
本発明の別の課題は、ハンドル長さを変更可能な両軸受リールにおいて、ハンドル長さ変更時に発音機構が分解しないようにすることにある。
【０００８】
【課題を解決するための手段】
発明１に係る両軸受リールの発音機構は、リール本体に回転自在に装着されたハンドル軸とハンドル軸に相対回転自在に装着されたドラグ操作部材との相対回転により発音する機構であって、ガイド部と、音出しピンと、凹凸部と、付勢部材とを備えている。ガイド部は、ハンドル軸の軸方向と交差する方向に沿って外周面に開口するようにハンドル軸に形成されている。音出しピンは、ガイド部に進退自在に装着されている。凹凸部は、開口に面するドラグ操作部材の内周面に周方向に沿って形成されている。付勢部材は、ガイド部に収納され音出しピンを凹凸部側に付勢する。
【０００９】
この発音機構では、ドラグ操作部材をハンドル軸に対して回転させると、凹凸部も回転する。そして付勢部材により付勢された音出しピンが凹凸部への衝突を繰り返して発音する。この凹凸部は、ドラグ操作部材の内周面に設けられているので、凹凸を有する音出しのための部品を別に設けたり付勢部材を別に設ける必要がない。また、音出しピンがハンドル軸に形成された外周面に開口するガイド部に収納されているので、リールの軸方向や径方向の寸法の増加を招くことがない。このため、リールの小型化を図れかつ発音機構の構成を簡素化することができる。
【００１０】
発明２に係る両軸受リールの発音機構は、発明１に記載の機構において、ハンドル軸のドラグ操作部材に対向する外周面には雄ネジ部が形成されており、ドラグ操作部材は、雄ネジ部に螺合する雌ネジ部を有するナット部を有し、凹凸部は、ドラグ操作部材のナット部の内周面に雌ネジ部と軸方向に並べて設けられている。この場合には、凹凸部とナット部とを並べて設けているので、ハンドル軸にドラグ操作部材が螺合する場合にも構成が簡素になる。
【００１１】
発明３に係る両軸受リールの発音機構は、発明１又は２に記載の機構において、音出しピンは、先端が半球状の頭部と、頭部より小径の軸部とを有する。この場合には、付勢部材の先端を軸部と頭部との段差に係止することで音出しピンを簡単に凹凸部側に付勢できる。
【００１２】
発明４に係る両軸受リールの発音機構は、発明３に記載の機構において、付勢部材は、軸部の外周側に配置されたコイルばねである。この場合には、軸部の外周に付勢部材を配置できるので、発音機構の構成がコンパクトになる。
発明５に係る両軸受リールの発音機構は、発明３又は４に記載の機構において、頭部には、係止凹部が形成されており、ハンドル軸には、先端面からガイド部に向けて軸方向に沿って形成された治具挿通孔が形成されている。この場合には、治具挿通孔から棒状の部材を挿入してその先端を係止凹部に係止すれば、音出しピンを付勢部材の付勢力に抗して所定の位置に係止できる。このため、組立時にドラグ操作部材をハンドル軸に装着する作業が容易になる。
【００１３】
発明６に係る両軸受リールの発音機構は、発明５に記載の機構において、頭部は、先端が半球状の先端部と、先端部より大径で付勢部材が係止可能な係止部とを有し、係止凹部は、係止部に形成された環状溝である。この場合には、頭部が小径であるので、発音間隔を短くすることができる。しかも、係止凹部が環状溝であるので、組立時に音出しピンが軸回りに回転しても確実に音出しピンを係止できる。
【００１４】
発明７に係る両軸受リールは、釣り竿に装着され、釣り竿の長手方向と交差する軸回りに釣り糸を巻き取る両軸受リールであって、リール本体と、ハンドル軸と、ハンドル組立体と、スプールと、回転伝達機構と、ドラグ機構と、ドラグ操作部材と、発音機構とを備えている。リール本体は、釣り竿に装着される。ハンドル軸は、リール本体に回転自在に支持され一端が外方に突出する軸である。ハンドル組立体は、先端がハンドル軸の径方向外方に延び径方向長さを変更可能にハンドル軸に着脱自在に固定されたクランクアームと、クランクアームの先端に装着された回転支持部と、回転支持部に装着されたハンドル把手とを有している。スプールは、リール本体に回転自在に装着されている。回転伝達機構は、ハンドル組立体の回転をスプールに伝達するための機構である。ドラグ機構は、回転伝達機構に設けられ、スプールの糸繰り出し方向の回転を制動する機構である。ドラグ操作部材は、ドラグ機構を操作するためにハンドル軸に装着された部材である。発音機構は、ハンドル軸とドラグ操作部材との間に設けられた、請求項１から６のいずれかに記載の機構である。
【００１５】
この両軸受リールでは、ドラグ操作部材をハンドル軸に対して相対回転させると、凹凸部も回転する。そして付勢部材により付勢された音出しピンが凹凸部への衝突を繰り返して発音する。この凹凸部は、ドラグ操作部材の内周面に設けられているので、凹凸を有する音出しのための部品を別に設けたり付勢部材を別に設ける必要がない。また、音出しピンがハンドル軸に形成された外周面に開口するガイド部に収納されているので、リールの軸方向や径方向の寸法の増加を招くことがない。このため、リールの小型化を図れかつ発音機構の構成を簡素化することができる。しかも、発音機構がドラグ操作部材とハンドル軸との間散る設けられているので、クランクアームをハンドル軸から外しても発音機構が分解しない。このため、ハンドル長さを調整しても発音機構の部品を紛失するおそれはない。
【００１６】
【発明の実施の形態】
図１において、本発明の一実施形態を採用した両軸受リールは、たとえば、５号の釣り糸を３００ｍ程度巻き付け可能な中型の丸型リールである。丸型リールは、リール本体１と、リール本体１の側方に配置されたスプール回転用のハンドル組立体２と、ハンドル組立体２のリール本体１側に配置されたスタードラグ３とを備えている。なお、この両軸受リールは、レベルワインド機構は有していない。
【００１７】
リール本体１には、スプール１５が回転自在に装着されている。リール本体１は、竿取付脚４を介して釣り竿ＲＤに装着され得る。リール本体１は、図２に示すように、所定の間隔をあけて配置された左右１対の側板１０，１１と側板１０，１１を連結する複数の支持部材１２とを有するフレーム５と、フレーム５の両側方に装着された第１カバー１３及び第２カバー１４と、第２カバー１４に装着された機構装着板１６とを有している。機構装着板１６は側板１１に接触して配置され、機構装着板１６と第２カバー１４との間には、後述する各種機構を収納するための空間が形成されている。
【００１８】
フレーム５はダイキャスト成形により得られ、第２側カバー１４は、金属薄板をプレス成形して得られる。１対の側板１０，１１及び第１カバー１３は、それぞれ側面から見て円形をなしており、外周面はたとえば旋盤等を用いて機械加工されている。第２カバー１４及び機構装着板１５は、図２に示すように、側面から見て円形の一部が径方向に突出した形状である。第２側カバー１４は、ハンドル軸３０（後述）の装着部分を中心に軸方向外方にも膨出している。
【００１９】
支持部材１２は、両側板１０，１１の外周に沿う形状で両側板１０，１１と一体で形成された板状の部材であり、たとえばリール本体１の後部と下部と上部との３か所で１対の側板１０，１１を連結している。このように側板１０，１１と複数の支持部材１２とを一体で形成することで、リール本体１に大きな荷重が作用しても撓み等の変形が生じがたく、巻上げ効率の低下が抑制される。この支持部材１２の外周部も側板１０，１１及び第１カバー１３と一体で機械加工されている。
【００２０】
下部の支持部材１２には竿取付脚４が固定されている。竿取付脚４は、フレーム５の側板１０，１１間の中心位置に沿って配置されている。この中心位置は、スプール１５の糸巻取部の中心位置でもある。後部の支持部材１２には、リールを釣り竿とともに保持するための合成樹脂製のサムレスト１７が装着されている。
【００２１】
サムレスト１７は、支持部材１２の上部と後部とに接するように形成され、かつ後部が側板１０，１１から径方向外方、つまり後方に突出している。サムレスト１７の上面後部は、下方に凸に湾曲しながら傾斜している。また、サムレスト１７の上面後部の左端及び右端は、後方への突出量が左側にいくにつれて徐々に減少している。
【００２２】
このような形状のサムレスト１７を設け、このサムレスト１７にたとえば左手の親指を置いて他の指で釣り竿ＲＤをつかみ釣り竿ＲＤとともにリールを握ることで、バーチカルジギング時等に釣り竿ＲＤをリールとともに確実に保持できる。
ハンドル組立体２は、図１〜図３に示すように、ハンドル軸３０の先端に回転不能に装着されたクランクアーム６と、クランクアーム６の一端にクランクアーム６の一端部と直交する軸回りに回転自在に装着されたハンドル把手７と、ハンドル把手７をクランクアーム６に回転自在に装着するための回転支持部８とを有している。
【００２３】
ハンドル軸３０の先端には、第１雄ネジ部３０ａと、第１雄ネジ部３０ａから基端側にかけて面取り部３０ｂとが形成されている。また、第１雄ネジ部３０ａに隣接してそれより大径の第２雄ネジ部３０ｃが形成されている。
ハンドル組立体２において、クランクアーム６のハンドル軸３０装着部分が回転支持部８装着部分よりリール本体１から離反している。つまり、ハンドル把手７の基端部の回転平面がクランクアーム６のハンドル軸３０への固定部分の回転平面よりリール本体１側に接近している。
【００２４】
クランクアーム６は、ハンドル軸３０の径方向に延びる平板状の金属製の部材である。クランクアーム６は、ハンドル軸３０に回転不能に装着されている。クランクアーム６の基端部には、図１及び図２に示すように、２つの取付孔６ｄが径方向に並べて配置されている。この２つの取付孔６ｄのいずれかでクランクアーム６はハンドル軸３０の面取り部３０ｂに回転不能に係止されており、第１雄ネジ部３０ａに螺合する固定ナット４１によりハンドル軸３０に着脱自在に固定されている。固定ナット４１は、クランクアーム６にビス止めされたリテーナ４２により回り止めされている。したがって、ハンドル組立体２は、ハンドル長さ（ハンドル軸３０からハンドル把手７までの距離）を長短２段階に調節可能である。
【００２５】
スタードラグ３は、図１及び図３に示すように、第２雄ネジ部３０ｃに螺合してハンドル軸３０の軸方向に移動し、ドラグ力を調整するための部材である。スタードラグ３は、放射状の複数のアーム部３５ａを有する、たとえばアルミニウム合金等の金属製の操作部３５と、操作部３５に回転不能に装着されたたとえばしんちゅう（黄銅）等の金属製のナット部３６とを有している。ナット部３６の内周面には、第２雄ネジ部３０ｃに螺合する雌ネジ部３６ａが形成されている。ナット部３６とハンドル軸３０との間には発音機構３４が設けられている。なお、操作部３５とナット部３６との接合部分では少なくともいずれかの接合面をメッキ処理している。これにより接合部分での電解腐食の発生を防止している。
【００２６】
発音機構３４は、図３及び図４に示すように、ハンドル軸３０の第２雄ネジ部に形成されハンドル軸３０の外周面に開口するガイド孔３０ｄと、ガイド孔３０ｄに進退自在に装着された音出しピン３７と、ナット部３６の内周面に形成された凹凸部３６ｂと、ガイド孔３０ｄに収納され音出しピン３７を凹凸部３６ｂ側に付勢するコイルばね３８とを有している。
【００２７】
ガイド孔３０ｄは、ハンドル軸３０の軸方向と交差する径方向に沿って第２雄ネジ部３０ｃが形成された外周面に開口するようにハンドル軸３０に形成されている。
【００２８】
凹凸部３６ｂは、ナット部３６の内周面に雌ネジ部３６ａと軸方向に並べて設けられている。凹凸部３６ｂの軸方向長さは、ドラグ調整によりスタードラグ３が軸方向に移動しても常に音出しピン３７の先端に接触可能な長さに形成されている。凹凸部３６ｂは、雌ネジ部３６ａより大径の内周面に多数の円弧を周方向に沿って並べて形成した形状である。
【００２９】
音出しピン３７は、先端が半球状の頭部３７ａと、頭部より小径の軸部３７ｂとを有している。頭部３７ａは、半球状の先端部３７ｃと、先端部３７ｃより大径でコイルばね３８の先端が係止可能な円柱状の係止部３７ｄとを有している。係止部３７ｄの軸方向の中央部には、環状溝３７ｅ形成されている。ハンドル軸３０には、ハンドル軸３０の先端面からガイド孔３０ｄに向けて治具挿通孔３０ｅが形成されている。図４に示すように、この治具挿通孔３０ｅに棒状の係止具３９を挿入して先端を環状溝３７ｅに係止することで、コイルばね３８の付勢力に抗して音出しピン３７の頭部３７ａをガイド孔３０ｄに引っ込めた状態に維持できる。これによりスタードラグ３をハンドル軸３０に組み付けやすくなる。また、頭部３７ａの先端部３７ｃが小径なため、凹凸部３６ｂの凹凸間隔を小さくすることができ、発生するクリック音の間隔が短くなる。
【００３０】
コイルばね３８は、軸部３７ｂの外周側に配置され、先端が係止部３７ｄと軸部３７ｂとの段差部分に当接し、基端がガイド孔３０ｄの底部に当接している。そして通常は、ガイド孔３０ｄ内に圧縮状態で装着されている。これにより、音出しピン３７を常に凹凸部３６ｂ側に付勢している。
ここでは、凹凸部３６ｂがスタードラグ３の内周面に設けられているので、音出しのための部品を別に設けたりその部材を付勢する部材を別に設ける必要がない。また、音出しピン３７がハンドル軸３０に形成されたガイド孔３０ｄに収納されているので、リールの軸方向や径方向の寸法の増加を招くことがない。このため、リールの小型化を図れかつ発音機構の構成を簡素化することができる。
【００３１】
スプール１５は、図２に示すように、１対の側板１０，１１間に回転自在に配置されている。スプール１５は、糸巻胴部１５ａと、糸巻胴部１５ａの両端に一体で形成されたフランジ部１５ｂとを有している。スプール１５の中心にはスプール軸２５が貫通して固定されている。スプール軸２５は第１カバー１３及び機構装着板１６に軸受２６ａ，２６ｂを介して回転自在に支持されている。
【００３２】
機構装着板１６と第２カバー１４の間の空間には、ハンドル組立体２からのトルクをスプール１５に伝えるための回転伝達機構２０と、回転伝達機構２０内に設けられたクラッチ機構２１と、クラッチ機構２１をオンオフ操作するためのクラッチ操作機構２２とが配置されている。
回転伝達機構２０は、スプール１５からハンドル組立体２側にトルクが逆に伝達された場合のトルクを規制するための回転制御機構２３を含んでいる。また、側板１１の中心部には糸繰り出し方向に自由回転するスプール１５を制動するための遠心ブレーキ機構２４が配置されている。側板１０の外側で第１カバー１３内には、スプール１５回転時に発音させる発音機構や根がかりしたとき等にスプール１５を完全にロックして糸切れしやすくするためのロック機構等が配置されている。
【００３３】
回転伝達機構２０は、一端にハンドル組立体２が固定されたハンドル軸３０と、ハンドル軸３０の他端に回転制御機構２３を介して連結されたメインギア３１と、メインギア３１に噛み合うピニオンギア３２とを有している。
ハンドル軸３０は、スプール軸２５と平行に配置されており、一端側が機構装着板１６に回転自在に支持されている。メインギア３１は、ハンドル軸３０の一端側に回転制御機構２３を介して相対回転不能に連結することが可能である。このような構成では、クラッチ機構２１がオンされた状態では、ハンドル組立体２からのトルクがスプール１５に直接伝達される。
【００３４】
クラッチ機構２１は、スプール軸２５の外周部にスライド自在に装着された筒状のピニオンギア３２と、ピニオンギア３２の一部に配置された係合溝３２ａとスプール軸２５に配置されたピン３３とを有している。スプール軸２５に沿ってピニオンギア３２を摺動させて、係合溝３２ａをピン３３と係合すれば、スプール軸２５とピニオンギア３２との間で回転力が伝達される。この状態が連結状態（クラッチオン状態）である。係合溝３２ａとピン３３の係合を外せば、スプール軸２５とピニオンギア３２との間で回転力は伝達されない。この状態が遮断状態（クラッチオフ状態）である。クラッチオフ状態では、スプール１５は自由に回転する。ピニオンギア３２は、クラッチ操作機構２２により係合溝３２ａとピン３３とが係合する方向すなわちクラッチオン状態に付勢されている。
【００３５】
回転制御機構２３は、ハンドル軸３０を糸巻取方向にのみ回転させる（糸繰り出し方向の回転を禁止する）ローラ型のワンウェイクラッチ機構５５と、スプール１５の糸繰り出し方向の回転に対して設定したドラグ力を作用させるためのドラグ機構５７と、ハンドル軸３０を糸巻取方向にのみ回転させる爪式のラチェット機構５９とを有している。ドラグ機構５７は、スタードラグ３によりドラグ力を調整される。ドラグ機構５７は、スタードラグ３とメインギア３１との間に配置された複数の摩擦ディスクを有している。
【００３６】
なお、ハンドル軸３０の逆転（糸繰り出し方向の回転）を禁止するだけであれば、ラチェット機構５９のみを設けてワンウェイクラッチ機構５５を省いてもよい。しかし、ラチェット機構５９は、ラチェット爪がラチェットホイールに噛み合ったり外れたりする動作にある程度の時間がかかる。釣りの動作に要求される迅速で滑らかな逆転禁止動作を果たすには、前記のようなローラ型のワンウェイクラッチ機構５５が好ましく、ワンウェイクラッチ機構５５では負担できないような過大な力をラチェット機構５９で負担することが有効である。  クラッチ操作機構２２は、リール本体１の第２カバー１４に連結姿勢と遮断姿勢との間で揺動自在に装着されたクラッチレバー４０を備えている。
【００３７】
次に、釣用リールの使用時におけるリールの動作について説明する。
釣りを行う前にドラグ力を調整する。ドラグ力を調整する場合には、目標とする魚と同程度の重さを有する重りやばねばかりを釣り糸の先端に連結し、ばねばかりや重りを引っ張って所望のドラグ力が発生するようにスタードラグ３を回転させる。スタードラグ３を回転させると、ハンドル軸３０との螺合によりスタードラグ３がハンドル軸３０の軸方向に移動し、ドラグ機構５７の摩擦ディスクを介してメインギア３１を押圧するドラグ力が変化する。また、スタードラグ３を回転させると、凹凸部３６ｂとハンドル軸３０とが相対回転するので、音出しピン３７が凹凸部３６ｂとの衝突を繰り返しクリック音を発生する。
【００３８】
釣り糸を繰り出す時には、クラッチレバー４０によりクラッチ機構２１をクラッチオフ状態にする。これによりスプール１５が自由回転状態になり、ジグ（仕掛け）の自重によりスプール１５が糸繰り出し方向に回転し、釣り糸がスプール１５から繰り出される。ジグが海底に到達するとハンドル組立体２を糸巻取方向に回転させてバーチカルジギングを開始する。ハンドル組立体２を糸巻取方向に回転させると図示しないクラッチリターン機構によりクラッチオン状態になる。
【００３９】
バーチカルジギングを行うときには、たとえば、左の脇に釣り竿ＲＤの図示しない後端部を挟み、リール本体１の後部に固定されたサムレスト１７に左手の親指を置き、残りの指で釣り竿を掴んでリールと釣り竿ＲＤとを保持し、左手で釣り竿ＲＤをしゃくりつつ右手でハンドル組立体２のハンドル把手７をつまみ、高速でハンドル軸３０を回す動作を繰り返す。  ハンドル組立体２を糸巻取方向に回転させると、ハンドル組立体２の回転がハンドル軸３０からワンウェイクラッチ機構５５、ドラグ機構５７を介してメインギア３１にそのまま伝達される。このときクラッチ機構２１はオン状態のため、メインギア３１の回転はピニオンギア３２からスプール１５に伝達されて、釣り糸が巻き上げられる。このとき、ワンウェイクラッチ機構５５及びラチェット機構５９では、回転が糸巻取方向であるので回転を許容する。
【００４０】
魚の引きなどで釣り糸が繰り出される際には、スプール１５の回転がメインギア３１に伝達され、ドラグ機構５７を介してハンドル軸３０およびワンウェイクラッチ機構５に伝わる。ワンウェイクラッチ機構５５ではハンドル軸３０の逆転が禁止される。魚の引きが弱ければ、スプール１５は回転せず釣糸が引き出されることもない。そして、魚の引きが強くなりスプール１５の回転力が大きくなると、伝達される回転力がドラグ機構５７の設定回転抵抗力を超える。すると、ドラグ機構５７滑りが生じるので、メインギア３１を含むスプール１５側は回転を始める。このとき、スプール１５には常にドラグ機構５７から一定の抵抗力すなわちドラグ力が作用する。
【００４１】
〔他の実施形態〕
（ａ）  前記実施形態では、音出しピンを頭部と軸部とで構成したが、頭部だけで構成してもよい。この場合、頭部を球状のボールだけで構成してもよい。
（ｂ）  前記実施形態では、操作部３５とナット部とを別体で構成したが、操作部３５とナット部３６とを金属又は樹脂で一体で形成してもよい。ただし、歯切れがよいクリック音を出したい場合には、ナット部３６は金属製が好ましい。
【００４２】
【発明の効果】
本発明によれば、凹凸部がドラグ操作部材の内周面に設けられているので、凹凸を有する音出しのための部品を別に設けたり付勢部材を別に設ける必要がない。また、音出しピンがハンドル軸に形成された外周面に開口するガイド部に収納されているので、リールの軸方向や径方向の寸法の増加を招くことがない。このため、リールの小型化を図れかつ発音機構の構成を簡素化することができる。
【００４３】
また、このハンドル長さを調整可能な両軸受リールでは、ハンドル長さを変更する際に、発音機構が分解せず、発音機構の部品を紛失するおそれがない。
【図面の簡単な説明】
【図１】本発明の一実施形態を採用した両軸受リールの斜視図。
【図２】その断面図。
【図３】ドラグ機構の断面図。
【図４】図３のIV−IV断面図。
【符号の説明】
１  リール本体
２  ハンドル組立体
３  スタードラグ
３０  ハンドル軸
３０ｃ  第２雄ネジ部
３０ｄ  凹凸部
３０ｅ  治具挿通孔
３４  発音機構
３５  操作部
３６  ナット部
３６ａ  雌ネジ部
３６ｂ  凹凸部
３７  音出しピン
３７ａ  頭部
３７ｂ  軸部
３７ｃ  先端部
３７ｄ  係止部
３７ｅ  環状溝
３８  コイルばね
【図１】
0003940222.tif 000002
【図２】
0003940222.tif 000003
【図３】
0003940222.tif 000004
【図４】
0003940222.tif 000005